(57)【要約】【課題】  充電端子面に汚れが定着しにくく、振動が加わっても安定した電源供給を可能とする充電システムを提供する。【解決手段】  ポータブルオーディオ機器の接続端子は内部方向に凹んでおり、側面はさらに充電台への収納方向と直交する方向に凹む形状である。充電台の接続端子は凸形状であり、側面はポータブルオーディオ機器を収納する方向にさらに凸状である。また、充電台の接続端子はポータブルオーディオ機器収納方向と直交する方向に可撓である。ポータブルオーディオ機器と充電台を接続した時に接点が滑りながら接触するため、摩擦によって常に接点をクリーニングでき、安定した電力供給を可能とする。また、接続端子は同一面上に対称に設けられ、接続端子が撓むことによる付勢力が接点に発生し接続信頼性を向上し、さらにその付勢力が対称方向であるため、接続の位置ズレを防止することができる。【選択図】  図６
2006060916.tif 000002
【特許請求の範囲】
【請求項１】
二次電池を内蔵し、電力供給を受ける接続端子を備えたポータブル機器と、前記ポータブル機器を収納し、二次電池に電力供給する接続端子を備えた充電装置と、からなる充電システムであって、
前記ポータブル機器の接続端子は、充電装置への収納方向先端面に設けられ、機器内部方向に凹んでなり、凹み内の一つの側壁は収納方向と直交する方向に対してさらに凹んだ形状であり、
前記充電装置の接続端子は、ポータブル機器を収納する底面に設けられ、前記ポータブル機器の接続端子に勘合する凸形状であり、前記一つの側壁に対向する側面はさらに凸状となっており、収納方向と直交する方向に対して可撓的である、
ことを特徴とする充電システム 。
【請求項２】
前記接続端子は同一面上に対称に二つ設けられたことを特徴とする請求項１に記載の充電システム。
【発明の詳細な説明】
【技術分野】
【０００１】
本発明は、電源として二次電池を内蔵したポータブル機器と、この機器に接続して内蔵二次電池の充電を行う充電装置とを備えた充電システムに関する。
【背景技術】
【０００２】
ポータブルオーディオ機器は、内蔵した二次電池を電源とするものが多い。二次電池は充電の必要があることはもちろんであるが、その都度コードを取り出してオーディオ機器を電源コンセントに接続するのは煩わしいため、専用の充電台を設けることが多い。充電台は机上等に据え置き、充電するときにはオーディオ機器を充電台にセットし、持ち出すときには充電台からオーディオ機器を取りはずして携行する。充電台は、オーディオ機器をセットして取りはずしやすい手軽さと、電力供給端子が確実に接続されて充電できる機能とを兼ね備えていなければならない。
【０００３】
図８に従来のポータブルオーディオ機器の概略図を示す。オーディオ機器底面に外部と電気的に接続するための接続端子４０、４１、および図９に示すような外部電池ケースとの取り付けを確実にするための連結用ネジ部４２が設けられている。また、機器側面には図１０に示すような充電台との接続を補助するための引っ掛け部４３が設けられている。
【０００４】
図１１および図１２はオーディオ機器と外部電池ケースの接続を示した概略図である。図１２のように外部電池ケース５の接続端子５０、５１がオーディオ機器４の接続端子４０、４１と接触することによって外部電池ケース５から電力が供給される。
【０００５】
図１３はポータブルオーディオ機器と充電台を接続した時の概略図である。この充電システムでは同図のように充電台内部にポータブルオーディオ機器を収納する。図１４はポータブルオーディオ機器の引っ掛け部と充電台のロック爪断面図である。この充電システムでは同図のように充電台６のロック爪６３とオーディオ機器４の引っ掛け部４３が係合して接続状態を保持している。図１５はポータブルオーディオ機器の接続端子と充電台の接続端子断面図である。この充電システムでは同図のように充電台６の接続端子６０、６１がオーディオ機器４の接続端子４０、４１と接触することによって充電台６から電力が供給される。
【０００６】
このように離間方向に端子が接続される場合、オーディオ機器と充電台の端子は軽く接触するのみであるため、長時間使用して端子表面に汚れが付着すると接触不良が発生していた。
【０００７】
また、ロック爪と引っ掛け部の係合だけではオーディオ機器や充電台に振動が加わると接続の位置ズレを起こし、安定した電力供給ができないことが発生していた。
【０００８】
そこで、上記のような課題を解決するために、オーディオ機器の一部もしくは全部を収納できる凹部を設け、ばねの押圧によって位置ズレを防止する充電台が提案されている。（たとえば特許文献１参照）。
【特許文献１】特開２００１−５２７６１号公報
【発明の開示】
【発明が解決しようとする課題】
【０００９】
特許文献１に記載の充電台では、凹部に蓋を設け、その蓋をばねによって押す。オーディオ機器を収納したときは蓋がオーディオ機器を押さえつけるため位置ズレを防止できるものである。
【００１０】
しかしながら特許文献１に記載の充電台では、オーディオ機器と充電台の離間方向に端子が接触するのみであるため、端子表面の汚れによる接触不良を解決するものではなかった。また、オーディオ機器を支えるための大きな凹部が必要であり、充電台そのものが大きくなってしまうことも問題である。
【００１１】
本発明は、オーディオ機器の接続と取り外しを行うときに接点のクリーニングを行うことができ、さらにオーディオ機器と充電台の位置ズレを防止することができる充電システムを提供することを目的とする。
【課題を解決するための手段】
【００１２】
請求項１の発明は、二次電池を内蔵し、電力供給を受ける接続端子を備えたポータブル機器と、前記ポータブル機器を収納し、二次電池に電力供給する接続端子を備えた充電装置と、からなる充電システムであって、前記ポータブル機器の接続端子は、充電装置への収納方向先端面に設けられ、機器内部方向に凹んでなり、凹み内の一つの側壁は収納方向と直交する方向に対してさらに凹んだ形状であり、前記充電装置の接続端子は、ポータブル機器を収納する底面に設けられ、前記ポータブル機器の接続端子に勘合する凸形状であり、前記一つの側壁に対向する側面はさらに凸状となっており、収納方向と直交する方向に対して可撓的である、ことを特徴とする。
【００１３】
この発明では、オーディオ機器の接続端子と外部電池ケースまたは充電台の接続端子を接続した時に接点に付勢力が生じ、摩擦が発生する。
【００１４】
請求項２に記載の発明は、上記発明において、前記接続端子は同一面上に対称に二つ設けられたことを特徴とする。
【００１５】
この発明では、オーディオ機器の接続端子と外部電池ケースまたは充電台の接続端子を接続した時に接点に付勢力が対称方向に生じる。
【発明の効果】
【００１６】
この発明によれば、オーディオ機器と充電台を接続した時に接点が滑りながら接触するため、摩擦によって常に接続面をクリーニングでき、安定した電力供給を可能とする。また、充電機器の接続端子がオーディオ機器収納方向と直交する方向に可撓的であるため、オーディオ機器と充電台を接続した時に接点に付勢力が生じ、さらにその付勢力が対称方向であるため、接続の位置ズレを防止することができる。
【発明を実施するための最良の形態】
【００１７】
以下、図を用いて本発明の実施形態である充電システムについて詳細に説明する。図１に本実施形態におけるポータブルオーディオ機器を示す。このポータブルオーディオ機器は、底面に外部電源と接続する接続端子１０、１１、および外部電池ケースに接続する連結用ネジ部１２を底面中心部に備えている。接続端子１０と接続端子１１は、底面の左右に対称に設けられている。連結用ネジ部１２はポータブルオーディオ機器１内部方向にメスネジ形状となっている。また、機器裏面には充電台との接続を補助するための引っ掛け部１３を備えている。引っ掛け部１３は機器内部方向に凹んでいる。
【００１８】
図２に接続端子１１の拡大図を示す。接続端子１１はポータブルオーディオ機器１の内部方向、すなわち充電台への収納方向と逆の方向に略コの字状に凹んでいる。さらに、接続端子１１内の側壁面１１ａは収納方向と直交する方向に凹んでいる。接続端子１０は接続端子１１と左右対称形状であり、側壁面の凹みは、反対側に形成されている。
【００１９】
図３に本実施形態のポータブルオーディオ機器１と外部電池ケース２の断面図を示す。外部電池ケース２は、ポータブルオーディオ機器に電気的に接続するための接続端子２０、２１とポータブルオーディオ機器１の連結用ネジ部１２と接続する取り付けネジ２２を備えている。接続端子２０と接続端子２１は対称形状であり、ポータブルオーディオ機器１と接続する方向に凸形状である。接続端子側壁面２０ａ、２１ａはポータブルオーディオ機器１と接続する方向と直交する方向にさらに凸状である。また、接続端子側壁面２０ａと接続端子側壁面２１ａは反対方向に凸形状となっている。取り付けネジ２２はポータブルオーディオ機器１と接続する方向に凸のオスネジ形状となっている。また、取り付けネジ２２は自由に回転することができる。取り付けねじ２２を回転させて連結用ネジ部１２にねじ込むとポータブルオーディオ機器１と外部電池ケース２が接続される。ポータブルオーディオ機器１と外部電池ケース２は互いのネジによって強固に接続されるので、外部電池ケース２を接続した状態でもポータブルオーディオ機器１を携帯することが可能である。
【００２０】
図４に本実施形態のポータブルオーディオ機器１の接続端子１１と外部電池ケース２の接続端子２１の断面拡大図を示す。同図（Ａ）に示すように接続端子２１は接続端子１１と接続する方向と直交する方向に対して可撓的である。同図（Ｂ）に示すように両接続端子を近づけると、まず接続端子１１の最外部の角と接続端子２１の側壁面２１ａの一部が接触する。接触した後さらに両接続端子を接続してゆくと、同図（Ｃ）に示すように、接触面で接続方向と直行する方向に付勢力が発生し、接続端子２１は直交する方向に撓む。接続端子２１の側壁面２１ａは接続端子１１の最外部の角を滑りながら接触し、最終的に接続端子１１の側壁面１１ａと接触する。
【００２１】
なお、接続端子１０と接続端子２０は図４に示した断面拡大図と左右対称となっており、接続端子２０が撓む方向は接続端子２１が撓む方向と反対方向である。つまり、接触面に発生する付勢力は図４に示した方向と反対方向になる。
【００２２】
上記のように、ポータブルオーディオ機器１と外部電池ケース２を接続するときに、各接続端子の接点が滑りながら接触していくため、接触する部分に摩擦が発生して接点のクリーニングを行うことができる。また、ポータブルオーディオ機器１の接続端子の凹部と外部電池ケース２の接続端子の凸部がかみ合い、対称である２つの接続端子にかかる付勢力が反対方向であるため、接続の位置ズレを防止することができる。特に接続した状態では、外部電池ケース２の接続端子は常に撓んだ状態であり、側壁面がさらに凸状であるため、接触面に発生する付勢力はポータブルオーディオ機器１を接続方向に押さえつける作用もある。
【００２３】
図５に本実施形態の充電台３の概略図を示す。充電台３はポータブルオーディオ機器１を内部に収納できる形状となっており、底面３２が充電台３内部に凹んで形成されている。底面３２上にはポータブルオーディオ機器１と電気的に接続するための接続端子３０、３１を備えている。接続端子３０と接続端子３１は、底面３２上に左右対称に設けられている。また、凹み内部の背面にはポータブルオーディオ機器１の引っ掛け部１３と係合するロック爪３３を備えている。ロック爪３３はポータブルオーディオ機器１の背面と接触する方向に凸状である。
【００２４】
図６に本実施形態のポータブルオーディオ機器１と充電台３の断面図を示す。同図に示すようにポータブルオーディオ機器１を充電台３内に収納する。なお、収納したときにポータブルオーディオ機器１の引っ掛け部１３と充電台３のロック爪３３は、図１４に示した引っ掛け部４３とロック爪６３と同様に係合するようになっている。接続端子３０と接続端子３１はポータブルオーディオ機器１と接続する方向に凸形状である。接続端子側壁面３０ａ、３１ａはポータブルオーディオ機器１と接続する方向と直交する方向にさらに凸状である。また、接続端子側壁面３０ａと接続端子側壁面３１ａは左右対称であり、反対方向に凸形状となっている。
【００２５】
図７に本実施形態のポータブルオーディオ機器１の接続端子１１と充電台３の接続端子３１の断面拡大図を示す。同図（Ａ）に示すように接続端子３１は接続端子１１と接続する方向と直交する方向に対して可撓的である。同図（Ｂ）に示すように両接続端子を近づけると、まず接続端子１１の最外部の角と接続端子３１の側壁面３１ａの一部が接触する。接触した後さらに両接続端子を接続してゆくと、同図（Ｃ）に示すように、接触面で接続方向と直行する方向に付勢力が発生し、接続端子３１は直交する方向に撓む。接続端子３１の側壁面３１ａは接続端子１１の最外部の角を滑りながら接触し、最終的に接続端子１１の側壁面１１ａと接触する。
【００２６】
なお、接続端子１０と接続端子３０は図７で示した断面拡大図と左右対称となっており、接続端子３０が撓む方向は接続端子３１が撓む方向と反対方向である。つまり、接触面に発生する付勢力は図７に示した方向と反対方向になる。
【００２７】
上記のように、ポータブルオーディオ機器１と充電台３を接続するときに、各接続端子の接点が滑りながら接触していくため、接触する部分に摩擦が発生して接点のクリーニングを行うことができる。また、ポータブルオーディオ機器１の接続端子の凹部と充電台３の接続端子の凸部がかみ合い、対称である二つの接続端子にかかる付勢力が反対方向であるため、接続の位置ズレを防止することができる。特に接続した状態では、充電台３の接続端子は常に撓んだ状態であり、側壁面がさらに凸状であるため、接点に発生する付勢力はポータブルオーディオ機器４を収納方向に押さえつける作用もある。
【００２８】
以上のように本実施形態における充電システムでは、ポータブルオーディオ機器と外部電池ケース、または充電台を接続するときに、接触面に摩擦が発生するため、常に接続面をクリーニングでき、安定した電力供給を可能とする。また、外部電池ケース、および充電台の接続端子がポータブルオーディオ機器と接続する方向と直交する方向に可撓的であるため、ポータブルオーディオ機器と外部電池ケース、または充電台を接続した時に接点に付勢力が生じ、さらにその付勢力が対称に設けられた接続端子によって反対方向に作用するため、接続の位置ズレを防止することができる。特に接続した状態では、外部電池ケース、および充電台の接続端子は常に撓んだ状態であり、側壁面がさらに凸状であるため、接点に発生する付勢力はポータブルオーディオ機器を接続方向に押さえつける作用もある。
【００２９】
なお、本実施形態ではポータブルオーディオ機器と外部電池ケースまたは充電台を接続する充電システムについて説明したが、ポータブルオーディオ機器に限定されず上述した接続端子を備えた携帯機器と充電台であれば一般的な携帯機器すべてに適用できるものである。
【図面の簡単な説明】
【００３０】
【図１】本発明のポータブルオーディオ機器の概略図
【図２】本発明のポータブルオーディオ機器の端子断面拡大図
【図３】本発明のポータブルオーディオ機器と外部電池ケースの断面図
【図４】本発明のポータブルオーディオ機器の接続端子と外部電池ケースの接続端子断面拡大図
【図５】本発明の充電台の概略図
【図６】本発明のポータブルオーディオ機器と充電台の断面図
【図７】本発明のポータブルオーディオ機器の接続端子と充電台の接続端子断面拡大図
【図８】従来のポータブルオーディオ機器の概略図
【図９】従来の外部電池ケースの概略図
【図１０】従来の充電台の概略図
【図１１】従来のポータブルオーディオ機器と外部電池ケースを接続した時の概略図
【図１２】従来のポータブルオーディオ機器の接続端子と外部電池ケースの接続端子断面図
【図１３】従来のポータブルオーディオ機器と充電台を接続した時の概略図
【図１４】従来のポータブルオーディオ機器の引っ掛け部と充電台のロック爪断面図
【図１５】従来のポータブルオーディオ機器の接続端子と充電台の接続端子断面図
【符号の説明】
【００３１】
１−本発明のポータブルオーディオ機器
１０−本発明のポータブルオーディオ機器の接続端子
１０ａ−本発明のポータブルオーディオ機器の接続端子側面
１１−本発明のポータブルオーディオ機器の接続端子
１１ａ−本発明のポータブルオーディオ機器の接続端子側面
１２−本発明のポータブルオーディオ機器の連結用ネジ部
１３−本発明のポータブルオーディオ機器の引っ掛け部
２−本発明の外部電池ケース
２０−本発明の外部電池ケースの接続端子
２０ａ−本発明の外部電池ケースの接続端子側面
２１−本発明の外部電池ケースの接続端子
２１ａ−本発明の外部電池ケースの接続端子側面
２２−本発明の外部電池ケースの取り付けネジ
３−本発明の充電台
３０−本発明の充電台の接続端子
３０ａ−本発明の充電台の接続端子側面
３１−本発明の充電台の接続端子
３１ａ−本発明の充電台の接続端子側面
３２−本発明の充電台の底面
３３−本発明の充電台のロック爪
４−従来のポータブルオーディオ機器
４０−従来のポータブルオーディオ機器の接続端子
４１−従来のポータブルオーディオ機器の接続端子
４２−従来のポータブルオーディオ機器の連結用ネジ部
４３−従来のポータブルオーディオ機器の引っ掛け部
５−従来の外部電池ケース
５０−従来の外部電池ケースの接続端子
５１−従来の外部電池ケースの接続端子
５２−従来の外部電池ケースの取り付けネジ
６−従来の充電台
６０−従来の充電台の接続端子
６１−従来の充電台の接続端子
６２−従来の充電台の底面
６３−従来の充電台のロック爪
【図１】
2006060916.tif 000003
【図２】
2006060916.tif 000004
【図３】
2006060916.tif 000005
【図４】
2006060916.tif 000006
【図５】
2006060916.tif 000007
【図６】
2006060916.tif 000008
【図７】
2006060916.tif 000009
【図８】
2006060916.tif 000010
【図９】
2006060916.tif 000011
【図１０】
2006060916.tif 000012
【図１１】
2006060916.tif 000013
【図１２】
2006060916.tif 000014
【図１３】
2006060916.tif 000015
【図１４】
2006060916.tif 000016
【図１５】
2006060916.tif 000017